(57)【要約】【課題】      太陽電池を用いることで電力コストや配電設備を不要にし、発光輝度を高めると共に、発光体から照射する光を無段階に調整することにより、高い商品価値と外観的優雅さを実現することができる光学光源体陽光灯を提供すること。【解決手段】  本発明の光学光源体陽光は、太陽電池装置を備える台座部と、該台座部に着脱自在に装着される造形体と、造形体内に収容される、前記太陽電池装置により発光する発光体とで構成されていることを特徴とする。また前記造形体は、透光性または半透光性素材にて形成されている。さらに太陽電池装置に、入力電圧を無段階に調整する可変交流電圧器を具備した。【選択図】図１
2009004337.tif 000002
【特許請求の範囲】
【請求項１】
太陽電池装置を備える台座部と、該台座部に着脱自在に装着される造形体と、造形体内に収容される、前記太陽電池装置により発光する発光体とで構成されていることを特徴とする光学光源体陽光灯。
【請求項２】
前記造形体は、透光性または半透光性素材にて形成されている請求項１記載の光学光源体陽光灯。
【請求項３】
太陽電池装置に、入力電圧を無段階に調整する可変交流電圧器を具備した請求項１または２記載の光学光源体陽光灯。
【請求項４】
前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる請求項１乃至３のうちいずれか１項に記載の光学光源体陽光灯。
【発明の詳細な説明】
【技術分野】
【０００１】  本発明は、配電設備や電力コストを必要とせず、夜間において造形物を高輝度に、且つ無段階に照らし出すことができる光学光源体陽光灯に関する。
【背景技術】
【０００２】  従来、御本尊などのシンボルマークや御真言などのメッセージや寺院名などの所属名などの文字や図形の彫刻部分を浮かび上がらせることにより装飾性、尊厳性、商品性を高めることができる置物がある（例えば、特許文献１参照）。
上掲特許文献１には、発光素子を設けた台座に透明または半透明の透光板を立設して、前記透光板の下端面から上端方向へ前記発光素子の光線を照射してなる置物において、前記透光板には前記光線で散乱光となる文字や図形が彫刻してあって、前記透光板の背面の位置および上面の位置にひさし部のある濃色背面板を配置させたことが記載されている。
【特許文献１】実用新案登録第３１１９８３５号公報
【発明の開示】
【発明が解決しようとする課題】
【０００３】  しかしながら、上掲特許文献１の置物は、発光素子を点灯させる際、直流電源部を使用するため、電力コストや配電設備が必要になる。また置物を発光させる輝度の調節ができず、商品価値を高めることや優雅さを醸し出すことができなかった。【０００４】  そこで本発明は上記の点に鑑み、太陽電池を用いることで電力コストや配電設備を不要にし、さらに発光体からの光を高輝度に照射させ、且つ発光輝度を無段階に調整することにより、高い商品価値と外観的優雅さを実現することができる光学光源体陽光灯を提供することにある。
【課題を解決するための手段】
【０００５】  上記問題を解決するために本発明の光学光源体陽光は、太陽電池装置を備える台座部と、該台座部に着脱自在に装着される造形体と、造形体内に収容される、前記太陽電池装置により発光する発光体とで構成されていることを特徴とする。また前記造形体は、透光性または半透光性素材にて形成されている。また太陽電池装置に、入力電圧を無段階に調整する可変交流電圧器を具備した。また前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる。
【発明の効果】
【０００６】  太陽電池装置を用いることで電力コストや配電設備を不要にすることができる。また太陽電池装置に、入力電圧を無段階に調整する可変交流電圧器を具備したことにより、発光体から照射する光を無段階に調整することができ、高い商品価値と外観的優雅さを醸し出す。
【発明を実施するための最良の形態】
【０００７】  以下、本発明における光学光源体陽光灯の実施の形態を図面に基づき説明する。
図１に示す光学光源体陽光灯１は、太陽電池装置２０を備える台座部２と、該台座部２に着脱自在に装着される造形体Ａと、造形体Ａ内に収容される、前記太陽電池装置２０により発光する発光体１０とで構成されている。【０００８】  台座部２はガラス、金属、石材、木材、硬質プラスチック等からなり、上面にはガラスや硬質プラスチックからなる透光性カバー３が設置されている。また前記台座部２は図中、中空円柱状に形成されているがこれに限らず、多角形や楕円状に形成することができる。【０００９】  前記台座部２の内部には、太陽電池装置２０が具備されている。太陽電池装置２０は、ソーラーパネル２１、充電器２２、光センサー２３にて形成される。ソーラーパネル２１は太陽エネルギーを電気エネルギーに変換するもので、台座部２の上部に配設されている。充電器２２には、ソーラーパネル２１にて起電される電力を蓄える充電池（図示せず）が収容されている。光センサー２３は、周囲が暗くなった場合、光量の変化を感知して充電器の電力により発光体１０を発光させ、周囲が明るくなったらその送電を自動的に停止させる働きを有する。なお前記ソーラーパネル２１、充電器２２、光センサー２３の構造は上述に限定されたものではなく、それぞれをコードで連結させたり、また配置を移動させたりしてもよいことは言うまでもない。【００１０】  造形体Ａは、前記台座部２の略中央に着脱自在に装着されるもので、ガラス、硬質プラスチック等の透光性または半透光性素材にて形成されている。また前記造形体Ａの形状は、特に限定されるものではなく、人物、動物、植物、建築物、器物等のさまざまな形状に形成することができる。また造形体Ａは、図中、中空状に形成されているが、密状態に一体化してもよく、さらに薄色状の色彩を施してもよい。【００１１】  また前記造形体Ａの内部には、前記太陽電池装置２０により発光する発光体１０が配設されている。前記発光体１０は、光源から前面に放射される光を集束してスポット状に照射することができる光学媒体１１とからなる。また両面発光構造の半導体発光素子を用いた場合において、裏面側への発光成分を含めて、すべての迷光成分が、有効に照明に寄与出来るようにすることを可能とし、特に、その数を多数必要とすることなく、所望の照度をえることが可能な発光体である。【００１２】  また発光体１０は、小型化・低価格化が期待できると共に、スポット照射のみならず拡散にも適用できる。また、長寿命、低消費電力、ノイズレス、紫外線を出さない、光のちらつき（フリッカー）がない、光強度調節が容易、低温光源、安定性が高い、変調が容易、スイッチング特性が優位、フルカラー対応、指向性が高い、光変換効率が格段に高い等数多くのメリットを有している。【００１３】  また前記発光体１０は、図３の（ａ）に示すように、発光面となる前面と、前面に対向した後面と、前面と後面とを接続する光伝送部と、後面の一部から前面方向に沿って光伝送部の内部に形成された凹部とを少なくとも有する光学媒体（バルクレンズ）１１と、凹部に収納された半導体発光素子１２と、光学媒体１１の後面に配置された背面鏡１３とからなる。また背面鏡１３は、光学媒体１１の側面の一部にまで延長されて形成されている。なお、この発光体は、特許第３３００７７８号公報に開示された公知の技術である。【００１４】  また図３の（ｂ）は、前記発光体１０の対応する断面図であり、１４はＬＥＤホルダー、１５はチップ、１６は樹脂モールド、１７は第１のピン、１８は第２のピン、１９は屈折率をそれぞれ示す。【００１５】  また他の好適例として、前記太陽電池装置２０に、入力電圧を無段階に調整する可変交流電圧器２４を具備した。可変交流電圧器２４は、入力電圧を無段階にしかも連続的に調整するもので、一般的に変圧器、摺動変圧器と呼ばれている。前記太陽電池装置２０に可変交流電圧器２４を備えることで、発光体から照射する光を無段階に調整することができ、造形体Ａが高輝度に且つ幻想的に発光させ、高い商品価値と外観的優雅さを醸し出すことが可能になる。【００１６】  また他の好適例として、図４に示すように、本発明における光学光源体陽光灯１を壁掛け型に形成してもよい。この際、薄板状の枠体４にソーラーパネル２１、充電器２２、光センサー２３からなる太陽電池装置２０と可変交流電圧器２４を備える。また、枠体部４の表面には透光性もしくは半透光性素材からなる造形体Ｂ（図中植物）を設け、前記造形体Ｂの内部に発光体１０を収容させる。そのことにより、発光体１０から照射される光により造形体Ｂを高輝度に発光させることができる。さらに、可変交流電圧器２４により発光輝度を無段階に調整することが可能になり、壁掛け用の室内インテリアとして高い商品価値を発揮することができる。
【図面の簡単な説明】
【００１７】
【図１】本発明の光学光源体陽光灯の全体斜視図である。
【図２】前記光学光源体陽光灯の断面図である。
【図３】（ａ）は発光体を示す模式的な鳥瞰図、（ｂ）は対応する断面図である。
【図４】他の好適例である光学光源体陽光灯の全体図および断面図である。
【符号の説明】
【００１８】１    光学光源体陽光灯
２    台座部
３    透光性カバー
４    枠体
１０  発光体
１１  光学媒体
１２  半導体発光素子
１３  背面鏡
１４  ＬＥＤホルダー
１５  チップ
１６  樹脂モールド
１７  第１のピン
１８  第２のピン
１９  屈折率
２０  太陽電池装置
２１  ソーラーパネル
２２  充電器
２３  光センサー
Ａ    造形物
Ｂ    造形物
【図１】
2009004337.tif 000003
【図２】
2009004337.tif 000004
【図３】
2009004337.tif 000005
【図４】
2009004337.tif 000006